(57)【要約】【課題】空気清浄機に搭載される粉塵検出部による運転において、外部から室内に侵入する粒子径の小さい粉塵に対して、粉塵検出部で検出して自動的に清浄運転を継続しても集塵しきれず運転が止まらないという課題に対して実使用に合わせた清浄運転することを目的とする。【解決手段】制御部は粉塵検出部７とニオイ検出部８からの検出信号をもとに、ニオイ検出部８からの検知量が所定の値より低く、粉塵検出部７から規定値未満の大きさの粉塵粒子だけを検知している時間が一定時間に達したときに運転を停止することで無駄で実使用に合わない運転を防止できるという効果を得られる。【選択図】図１
2013017971.tif 000002
【特許請求の範囲】
【請求項１】
室内の空気を清浄化する空気清浄機において、吸気した汚れ空気を清浄化する清浄化手段と、前記清浄化手段に通風する送風手段と、粉塵の大きさの識別と汚れ量を検知できる粉塵検出部と、ニオイを検出するニオイ検出部と、前記粉塵検出部および前記ニオイ検出部からの汚れ検知量を判断して前記送風手段を制御する制御部を備え、前記制御部は前記ニオイ検出部からの検知量が所定の値より低く、前記粉塵検出部から規定値未満の大きさの粉塵粒子だけを検知している時間が一定時間に達した場合に前記送風手段を停止するようにした空気清浄機。
【請求項２】
前記制御部に、前記粉塵検出部および前記ニオイ検出部からの汚れ検知量に応じて汚れ量を段階的に表示する汚れ表示部を設け、前記送風手段が停止しているときは汚れ検知無しの表示をするようにした請求項１記載の空気清浄機。
【請求項３】
前記制御部は前記送風手段を停止している間、使用者に停止していることをお知らせする表示部を設けたことを特徴とする請求項１または２記載の空気清浄機。
【請求項４】
前記制御部は前記送風手段を停止している間、前記粉塵検出部から規定値以上の大きさの粉塵粒子を検知した場合に前記送風手段を運転開始するようにした請求項１記載の空気清浄機。
【請求項５】
前記制御部は前記送風手段を停止している間に、前記粉塵検出部から規定値未満の大きさの粉塵粒子も検出しなくなった後に、再度規定値未満の大きさの粉塵粒子のみ検出した場合に前記送風手段を運転開始するようにした請求項１記載の空気清浄機。
【発明の詳細な説明】
【技術分野】
【０００１】
本発明は、一般家庭や事務所等で使用される空気清浄機に関するものである。
【背景技術】
【０００２】
従来、この種の空気清浄機は、粉塵の大きさを検出して吸い込み方向を変更し効率よく集塵させたものが知られている（例えば、文献１参照）。
【０００３】
以下、その空気清浄機について図７〜９を参照しながら説明する。
【０００４】
図７、図８に示すように、空気清浄機本体１０１は略箱形に形成され、本体１０１の正面にはフロントパネル１０２を設け、本体１０１の側面に吸気口１０３、本体１０１下部に開閉式吸気口１０４を形成している。本体１０１内には空気を清浄化するためフィルター１０５と、このフィルター１０５に通風するファンモーター１０６が備えられ、本体１０１天面には吹出部１０７が設けられている。ファンモーター１０６の駆動により吸気口１０３、開閉式吸気口１０４から空気が吸い込まれ、フィルター１０５を通って清浄された後、吹出部１０７から吹出される。
【０００５】
本体１０１側面には汚れ検出手段として光学式の粉塵センサ１０８ａを備えた粉塵検出部１０８が設けられている。
【０００６】
また本体１０１の正面上部には操作部１０９が設けられ、制御部１１０に演算部１１１を設けている。
【０００７】
上記構成において、電源が通電されると制御部１１０は粉塵検出部１０８で検出した出力信号を０〜５の汚れレベル値に変換する処理をおこない、操作部１０９を自動運転に設定すると、制御部１１０は汚れレベル値に従ってファンモーター１０６を運転するものである。
【０００８】
また図９に示すように粉塵検出部１０８は検出される粉塵の大きさが３μｍ未満のものか３μｍ以上のものかを識別して制御部１１０にその信号を伝達する。制御部１１０はその信号を演算部１１１にて演算し、３μｍ以上の粉塵が多い場合には開閉式吸気口１０４を開口して下方からの吸い込み量を増やし、３μｍ未満の粉塵が多い場合には開閉式吸気口１０４を閉口して側面からの吸い込みを増やしてそれぞれ空気汚れの除去をおこなうものである。
【先行技術文献】
【特許文献】
【０００９】
【特許文献１】特開２００８−１４２６２４号公報
【発明の概要】
【発明が解決しようとする課題】
【００１０】
このような従来の空気清浄機では、室内で発生した汚れを除去するものであって、室内で発生した汚れは、あらかじめ目安にした時間内に除去できるものであった。
【００１１】
一方、自然換気回数が多い居室において室外から室内へ継続して入り込む粉塵があった場合に、その粉塵を取りきれないことがあった。例えば、黄砂のような１μｍ未満の粉塵が継続して室内へ入り込む場合には、空気清浄機の除塵能力が不足して、粉塵検出部は常に汚れを検知している状態となり、いつまでも運転を停止させることができないことがあった。
【００１２】
このような状況が継続すると、使用者は空気清浄機が故障している認識してしまうことがあった。
【００１３】
そこで、本発明は、このような従来の課題を解決するものであり、使用者に誤解を与えないようにすることができる空気清浄機を提供することを目的としている。
【課題を解決するための手段】
【００１４】
そして、この目的を達成するために、本発明の空気清浄機は、室内の空気を清浄化する空気清浄機において、吸気した汚れ空気を清浄化する清浄化手段と、前記清浄化手段に通風する送風手段と、粉塵の大きさの識別と汚れ量を検知できる粉塵検出部と、ニオイを検出するニオイ検出部と、前記粉塵検出部および前記ニオイ検出部からの汚れ検知量を判断して前記送風手段を制御する制御部を備え、前記制御部は前記ニオイ検出部からの検知量が所定の値より低く、前記粉塵検出部から規定値未満の大きさの粉塵粒子だけを検知している時間が一定時間に達した場合に前記送風手段を停止するようにした構成としたものであり、これにより所期の目的を達成するものである。
【００１５】
また、本発明の空気清浄機は、前記制御部に、前記粉塵検出部および前記ニオイ検出部からの汚れ検知量に応じて汚れ量を段階的に表示する汚れ表示部を設け、前記送風手段が停止しているときは汚れ検知無しの表示をするような構成にした。
【００１６】
また、本発明の空気清浄機は、前記制御部は前記送風手段を停止している間、使用者に停止していることをお知らせする表示部を設けた構成にした。
【００１７】
また、本発明の空気清浄機は、前記制御部は前記送風手段を停止している間、前記粉塵検出部から規定値以上の大きさの粉塵粒子を検知した場合に前記送風手段を運転開始するような構成にした。
【００１８】
また、本発明の空気清浄機は、前記制御部は前記送風手段を停止している間に、前記粉塵検出部から規定値未満の大きさの粉塵粒子も検出しなくなった後に、再度規定値未満の大きさの粉塵粒子のみ検出した場合に前記送風手段を運転開始する構成にした。
【発明の効果】
【００１９】
本発明によれば、室内の空気を清浄化する空気清浄機において、吸気した汚れ空気を清浄化する清浄化手段と、前記清浄化手段に通風する送風手段と、粉塵の大きさの識別と汚れ量を検知できる粉塵検出部と、ニオイを検出するニオイ検出部と、前記粉塵検出部および前記ニオイ検出部からの汚れ検知量を判断して前記送風手段を制御する制御部を備え、前記制御部は前記ニオイ検出部からの検知量が所定の値より低く、前記粉塵検出部から規定値未満の大きさの粉塵粒子だけを検知している時間が一定時間に達した場合に前記送風手段を停止するようにしたことにより、外部から継続的に侵入する粉塵に対して空気清浄機を停止させることとなるので、空気清浄機が故障しているという使用者の誤解を防止できる。
【図面の簡単な説明】
【００２０】
【図１】本発明の実施の形態１の空気清浄機の構造図
【図２】同制御ブロック図
【図３】同汚れ検知レベルと運転風量の相関図
【図４】同制御フローチャート
【図５】本発明の実施の形態２の制御ブロック図
【図６】本発明の実施の形態３の制御ブロック図
【図７】従来の空気清浄機の構造図
【図８】同ブロック図
【図９】同制御フローチャート
【発明を実施するための形態】
【００２１】
本発明の請求項１記載の発明は、室内の空気を清浄化する空気清浄機において、吸気した汚れ空気を清浄化する清浄化手段と、前記清浄化手段に通風する送風手段と、粉塵の大きさの識別と汚れ量を検知できる粉塵検出部と、ニオイを検出するニオイ検出部と、前記粉塵検出部および前記ニオイ検出部からの汚れ検知量を判断して前記送風手段を制御する制御部を備え、前記制御部は前記ニオイ検出部からの検知量が所定の値より低く、前記粉塵検出部から規定値未満の大きさの粉塵粒子だけを検知している時間が一定時間に達した場合に前記送風手段を停止する構成を有する。これにより規定値未満の大きさの粉塵粒子だけを検知している時間が一定時間に達した場合に前記送風手段を停止することで、外部から継続的に侵入する粉塵に対して空気清浄機を停止させることとなるので、空気清浄機が故障しているという使用者の誤解を防止できるという効果を奏する。
【００２２】
また、請求項２記載の発明は、制御部に前記粉塵検出部および前記ニオイ検出部からの汚れ検知量に応じて汚れ量を段階的に表示する汚れ表示部を設け、前記送風手段が停止しているときは汚れ検知無しの表示をするようにした構成を有する。これにより使用者は視覚的にも室内が清浄であることを認識できるという効果を奏する。
【００２３】
また、請求項３記載の発明は、制御部は前記送風手段を停止している間、使用者に停止していることをお知らせする表示部を設けた構成を有する。これにより使用者は視覚的にも運転が停止していることを認識できるという効果を奏する。
【００２４】
また、請求項４記載の発明は、制御部は前記送風手段を停止している間、前記粉塵検出部から規定値以上の大きさの粉塵粒子を検知した場合に前記送風手段を運転開始する構成を有する。これにより室内で粉塵汚れが発生した際に、すぐに運転再開できるという効果を奏する。
【００２５】
また、請求項５記載の発明は、前記制御部は前記送風手段を停止している間に、前記粉塵検出部から規定値未満の大きさの粉塵粒子も検出しなくなった後に、再度規定値未満の大きさの粉塵粒子のみ検出した場合に前記送風手段を運転開始するようにした構成を有する。これにより室内からの粉塵発生を想定して運転ができるので使用者にとって実使用に合う清浄運転ができるという効果を奏する。
【００２６】
以下、本発明の実施の形態について図面を参照しながら説明する。
【００２７】
（実施の形態１）
図１、図２に示すように、空気清浄機の本体１は略箱形に形成され、本体１の側面に吸気口２、本体１下部に開閉式吸気口３を形成している。本体１内には空気を清浄化するためフィルター４と、このフィルター４に通風するファンモーター５が備えられ、本体１天面には吹出部６が設けられている。ファンモーター５の駆動により吸気口２、および開閉式吸気口３から空気が吸い込まれ、フィルター４を通って清浄された後、吹出部６から吹出される。
【００２８】
本体１側面には汚れ検出手段として光学式の汚れ検出手段を備えた粉塵検出部７とニオイを検出するニオイ検出部８が設けられている。
【００２９】
また本体１の正面上部には操作部９が設けられ、制御部１０に演算部１１を設けている。
【００３０】
上記構成において、電源が通電されると制御部１０は粉塵検出部７とニオイ検出部８で検出した出力信号を０〜５の汚れレベル値に変換する処理をおこない、操作部９を自動運転に設定すると、制御部１０は汚れレベル値に従ってファンモーター５を運転するものである。このとき粉塵検出部７およびニオイ検出部８で検出する汚れレベルに対するファンモーター５の送風量は図３に示す関係としている。
【００３１】
また図４に示すように粉塵検出部７は検出される粉塵の大きさが１μｍ未満のものか１μｍ以上のものかを識別して制御部１０にその信号を伝達する。制御部１０はニオイ検出部８からの検出汚れレベル値が０で、粉塵検出部７からの１μｍ以上の粉塵検出汚れレベル値も０で、１μｍ未満の粉塵汚れのみ検出している状態が１時間以上継続する場合はファンモーター５の運転を停止するものである。
【００３２】
以上のように粉塵の大きさが小さい粒子のみを長時間検出する場合は、汚れを取りきれない状況であるので運転を停止するものである。したがって、空気清浄機が故障しているという誤解を生じさせることがなくなる。
【００３３】
なお、継続する時間を１時間にしたのは室内で一時的に発生した粉塵を除去するのに必要な時間をもとに定めた時間であって、室外から継続的に流入する粉塵は、制限のある時間内には取りきれないものである。
【００３４】
そこで、ニオイ検出部８の検出信号のないときに検出する粉塵の粒子径と時間を定めて、粉塵汚れが検出され続けている場合に、空気清浄機の運転を（一時的に）停止させるものである。
【００３５】
また、図５に示すように本実施例ではファンモーター５を停止させるだけであったが、粉塵検出部７やニオイ検出部８から検出される汚れレベルを使用者に知らせるための汚れ表示部１２を設けて、１μｍ未満の粉塵汚れのみを１時間以上検出すれば汚れ表示部１２に清浄状態を示す表示とすることで使用者に認識しやすいようにしても良い。
【００３６】
また、図６に示すように本実施例ではファンモーター５を停止させるだけであったが、ファンモーター５の運転状態を示す運転表示部１３を設けて、ファンモーター５が停止しているときは運転表示部１３を消灯することで使用者に認識しやすいようにしても良い。
【００３７】
また、本実施例ではファンモーター５を停止させるだけの記載であるが、粉塵検出部７から粉塵の大きさが大きい１μｍ以上の粒子を検出した場合にファンモーター５の運転を再開させるようにすることで、粉塵発生の際にはすぐに清浄運転を開始できるように実使用に即した空気清浄運転をおこなうことができる。
【００３８】
また、突然の天候変化により大気の状態が変化した場合には大気中を飛散する粉塵量が激減するためファンモーター５の停止中に粉塵検出部７から粉塵の大きさが小さい１μｍ未満の粒子を検出しなくなることがあり、その後に再度１μｍ未満の粒子を検出した時にファンモーター５の運転を再開させるようにすることで、粉塵発生の際にはすぐに清浄運転を開始できるように実使用に即した空気清浄運転をおこなうことができる。
【産業上の利用可能性】
【００３９】
本発明にかかる空気清浄機は、集塵できない小さな粉塵に対して無駄な運転をせずに運転効率を高めようとするものであり、掃除機に用いる技術としても有用である。
【符号の説明】
【００４０】
１    本体
２    吸気口
３    開閉式吸気口
４    フィルター
５    ファンモーター
６    吹出部
７    粉塵検出部
８    ニオイ検出部
９    操作部
１０  制御部
【図１】
2013017971.tif 000003
【図２】
2013017971.tif 000004
【図３】
2013017971.tif 000005
【図４】
2013017971.tif 000006
【図５】
2013017971.tif 000007
【図６】
2013017971.tif 000008
【図７】
2013017971.tif 000009
【図８】
2013017971.tif 000010
【図９】
2013017971.tif 000011